(57)【要約】    【課題】  ボール弁部材やプランジャ部材等の移動範囲等の寸法誤差を考慮することなく設計通りに製造することができ、品質を安定させることができる。    【解決手段】  弁機構１０は、ボール弁部材１４を収容するベース１１と、吸入口１０ａを形成するプレート１２とを備えており、プレート１２はベース１１に圧入されながらかしめられて固定されており、ソレノイド機構２０は、プランジャ部材２３を収容するケース２１と、ケース２１内に収容したプランジャ部材２３を封止するコア２６とを備えており、コア２６はケース２１に圧入されながらかしめられて固定されている。【選択図】  図１
2005240852.tif 000002
【特許請求の範囲】
【請求項１】
弁機構と該弁機構に接続するソレノイド機構とを備え、前記弁機構には吸入口と吐出口とドレン口とが形成されており、前記弁機構内には前記吸入口と前記吐出口とを連通可能なボール弁部材が設けられており、前記弁機構内と前記ソレノイド機構内とには前記吐出口と前記ドレン口とを連通可能であり、かつ前記ボール弁部材を押出し可能なプランジャ部材が設けられており、前記プランジャ部材は前記ソレノイド機構によって摺動可能である三方電磁弁装置において、
前記弁機構は、前記ボール弁部材を収容するボール弁収容部材と、前記吸入口を形成する蓋部材とを備えており、該蓋部材は前記ボール弁収容部材に圧入されながらかしめられて固定されており、
前記ソレノイド機構は、前記プランジャ部材を収容するプランジャ収容部材と、該プランジャ収容部材内に収容した前記プランジャ部材を封止する封止部材とを備えており、該封止部材は前記プランジャ収容部材に圧入されながらかしめられて固定されていることを特徴とする三方電磁弁装置。
【発明の詳細な説明】
【技術分野】
【０００１】
本発明は三方電磁弁装置に関する。
【背景技術】
【０００２】
従来の三方電磁弁装置としては、特許文献１に記載されたものが知られている。その三方電磁弁装置は、弁機構と弁機構に接続するソレノイド機構とが備えられている。弁機構には吸入口と吐出口とドレン口とが形成されており、弁機構内には吸入口と吐出口とを連通可能なボール弁部材が設けられている。弁機構内とソレノイド機構内とには、吐出口とドレン口とを連通可能であり、かつボール弁部材を押出し可能なプランジャ部材が設けられている。このようなプランジャ部材はソレノイド機構によって摺動可能である。
【０００３】
このような三方電磁弁装置では、ソレノイド機構によってプランジャ部材を摺動することにより、ボール弁部材を押出して吸入口と突出口とを連通させたり、プランジャ部材を介して突出口とドレン口とを連通させたりすることができる。こうして、吸入口と突出口との連通又は突出口とドレン口との連通を行うことによって、吸入口、突出口又はドレン口を流れる流体の流量やその流れの方向等を切り換えることができる。
【特許文献１】特開平４−３３１８８１号公報
【発明の開示】
【発明が解決しようとする課題】
【０００４】
しかし、上記記載の三方電磁弁装置では、吸入口、突出口又はドレン口を流れる流体の流量やその流れの方向を正確に切り換えることができなければならないにもかかわらず、その構造が複雑であるため、ボール弁部材やプランジャ部材等の移動範囲等の寸法誤差が発生しやすくなっている。このため、その三方電磁弁装置は、その寸法誤差を考慮に入れた設計に基づいて製造されているものの、品質が不安定なものとなりやすい。
【０００５】
本発明は、上記従来の実情に鑑みてなされたものであって、ボール弁部材やプランジャ部材等の移動範囲等の寸法誤差を考慮することなく設計通りに製造することができ、品質を安定させることが可能な三方電磁弁装置を提供することを解決すべき課題としている。
【課題を解決するための手段】
【０００６】
発明者らは上記課題を解決するため鋭意研究した結果、寸法誤差の生じ難い基準値を決定することができれば、寸法誤差を考慮に入れた設計に基づいて三方電磁弁装置を製造する必要がなくなることに着目し、本発明を完成するに至った。
【０００７】
すなわち、上記課題を解決するために本発明において講じた技術的手段は、請求項１に記載の様に、弁機構１０と該弁機構１０に接続するソレノイド機構２０とを備え、前記弁機構１０には吸入口１０ａと吐出口１０ｂとドレン口１０ｃとが形成されており、前記弁機構１０内には前記吸入口１０ａと前記吐出口１０ｂとを連通可能なボール弁部材１４が設けられており、前記弁機構１０内と前記ソレノイド機構２０内とには前記吐出口１０ｂと前記ドレン口１０ｃとを連通可能であり、かつ前記ボール弁部材１４を押出し可能なプランジャ部材２３が設けられており、前記プランジャ部材２３は前記ソレノイド機構２０によって摺動可能である三方電磁弁装置において、前記弁機構２０は、前記ボール弁部材１４を収容するボール弁収容部材１１と、前記吸入口１０ａを形成する蓋部材１２とを備えており、該蓋部材１２は前記ボール弁収容部材１１に圧入されながらかしめられて固定されており、前記ソレノイド機構２０は、前記プランジャ部材２３を収容するプランジャ収容部材２１と、該プランジャ収容部材２３内に収容した前記プランジャ部材２３を封止する封止部材２６とを備えており、該封止部材２６は前記プランジャ収容部材２１に圧入されながらかしめられて固定されていることを特徴としている。
【発明の効果】
【０００８】
請求項１に記載の発明によれば、吸入口を形成する蓋部材がボール弁収容部材に圧入されながらかしめられて固定されているため、蓋部材の位置を調節しながら固定することができる。このため、蓋部材の位置を基準値とすることができる。また、プランジャ部材を封止する封止部材がプランジャ収容部材に圧入されながらかしめられて固定されているため、封止部材の位置を調節しながら固定することができる。このため、封止部材の位置を基準値とすることができる。こうして、蓋部材と封止部材とが設計通りに調節された位置に固定させることで、そられを基準値とすることができる。このため、それらを基準値として、三方電磁弁装置内のボール弁部材やプランジャ部材等が設計通りの範囲を移動することができる。こうして、ボール弁部材やプランジャ部材等の移動範囲等の寸法誤差を考慮することなく設計通りに製造することができる。このため、三方電磁弁装置の品質を安定させることができる。
【０００９】
したがって、本発明の三方電磁弁装置では、ボール弁部材やプランジャ部材等の移動範囲等の寸法誤差を考慮することなく設計通りに製造することができ、品質を安定させることができる。
【発明を実施するための最良の形態】
【００１０】
以下、本発明を実施するための最良の形態について、実施形態を参照しつつ図面を基に説明する。
【００１１】
（実施形態）
実施形態の三方電磁弁装置では、図１に示すように、弁機構１０とソレノイド機構２０とが備えられている。
【００１２】
弁機構１０には、ボール弁収容部材としての略筒状のベース１１と、ベース１１内の一端側（図１の左側）に吸入口１０ａを形成する蓋部材としてのプレート１２とが備えられている。ベース１１には、一端側でプレート１２によって吸入口１０ａが形成されており、中央側面に吐出口１０ｂが形成されており、他端側の側面にドレン口１０ｃが形成されている。吸入口１０ａ、吐出口１０ｂ及びドレン口１０ｃはベース内１１の連通路１１ａを介して連通している。プレート１２は円筒形状であり、一端側で吸入口１０ａを覆うフィルタ１２ａが設けられており、他端側で連通路１１ａに繋がる第１連通口１２ｂが形成されている。ベース１１内において、プレート１２とフィルタ１２ａとによって囲まれる範囲内では、ボール弁部材１４が内在している。そして、ベース１１内において、吐出口１０ｂとドレン口１０ｃとの間には連通路１１ａを横断するシート１３が設けられている。シート１３の中心には第２連通口１３ｂが形成されている。
【００１３】
ベース１１の他端側（図１の右側）にはソレノイド機構２０が接続されている。ソレノイド機構２０には、ベース１１に接続されたプランジャ収容部材としての略筒状のケース２１と、ケース２１内に固定された筒状のコイル２２とが備えられている。コイル２２は図示しない外部電源に繋がっている。ケース２１及びコイル２２内には長手方向に摺動可能なプランジャ部材２３が挿入されている。プランジャ部材２３は、ケース２１内からベース１１内に延在しており、シート１３の第２連通口１３ｂを開閉可能なドレン弁部２３ａを有している。また、プランジャ部材２３は、ドレン弁部２３ａの先端で延在し、プレート１２の第１連通口１２ｂを挿通しれボール弁部材１４を押出し可能な押出し部２３ｂを有している。プランジャ部材２３の後端内部は中空２３ｃとなっており、中空２３ｃ内にバネ２４が挿入されている。バネ２４の他端はスペーサ２５を介して封止部材としてのコア２６の一端に係合されており、コア２６はケース２１の他端で固定されている。こうして、コア２６はプランジャ部材２３を封止している。
【００１４】
特に、実施形態の三方電磁弁装置では、図２に示すように、プレート１２がベース１１に圧入されながらかしめられている。ここで、プレート１２とベース１１との間であって、少なくともどちらか一方にはきざみ目（ローレット）が形成されていてもよい。こうして、プレート１２がベース１１に固定されている。また、図３に示すように、コア２６がケース２１に圧入されながらかしめられている。ここで、コア２６とケース２１との間であって、少なくともどちらか一方にもきざみ目（ローレット）が形成されていてもよい。こうして、コア２６がケース２１に固定されている。
【００１５】
以上のような実施形態の三方電磁弁装置では、プレート１２がベース１１に圧入されながらかしめられて固定されているため、プレート１２の位置を調節しながら固定することができる。このため、プレート１２の位置を基準値とすることができる。また、プランジャ部材２３を封止するコア２６がケース２１に圧入されながらかしめられて固定されているため、コア２６の位置を調節しながら固定することができる。このため、コア２６の位置を基準値とすることができる。こうして、プレート２１とコア２６とを設計通りに調節された位置に固定させることで、そられを基準値とすることができる。このため、それらを基準値として、三方電磁弁装置内のボール弁部材１４やプランジャ部材２３等が設計通りの範囲を移動することができる。こうして、ボール弁部材１４やプランジャ部材２３等の移動範囲等の寸法誤差を考慮することなく設計通りに製造することができる。このため、三方電磁弁装置の品質を安定させることができる。
【００１６】
（比較形態）
比較形態の三方電磁弁装置では、図１に示すものと概ね同様であるが、プレート１２がベース１１にかしめられながら固定されている。このため、ボール弁部材１４の移動範囲に関連する部位の長さの合計に寸法誤差が生じてしまう。ボール弁部材１４の移動範囲に関連する部位の長さとしては、例えば、図１に示すように、押出し部２３ｂの長さＡ１と、プレート１２の他端からシート１３の一端までの長さＡ２と、ベース１１の吐出口１０ｂからドレン口１０ｃまでの長手方向の長さＡ３と、ボール弁部材１４の直径Ａ４と、シート１３の幅Ａ５とがある。そして、プレート１２の位置がずれることにより、Ａ１〜５の寸法誤差の合計がボール弁部材１４の移動範囲の寸法誤差となってしまう。
【００１７】
また、その三方電磁弁装置では、コア２６がケース２１にかしめられながら固定されている。このため、単なるかしめでは、コア２６とケース２１との間がずれてしまい、設計通りに固定されない場合が生じる。このため、プランジャ部材２３の移動範囲に関連する部位の長さの合計に寸法誤差が生じてしまう。プランジャ部材２３の移動範囲に関連する部位の長さとしては、例えば、ケース２１の一端からコア２６の一端までの長さＡ６と、スペーサ２５の幅Ａ７と、ベース１１の吐出口１０ｂからドレン口１０ｃまでの長手方向の長さＡ８と、シート１３の幅Ａ５と、プランジャ部材２３の長手方向の長さＡ９とがある。そして、コア２６の位置がずれることにより、Ａ５〜Ａ９の寸法誤差の合計がプランジャ部材２３の移動範囲の寸法誤差となってしまう。
【００１８】
（考察）
実施形態の三方電磁弁装置では、比較形態のものに比して、プレート１２の位置やコア２６の位置が調節されることとなるため、それらを基準値として設計通りに製造することができる。このため、三方電磁弁装置の品質を安定させることができる。
【図面の簡単な説明】
【００１９】
【図１】実施形態に係り、三方電磁弁装置の全体断面図である。
【図２】実施形態に係り、プレートの断面拡大図である。
【図３】実施形態に係り、コアの断面拡大図である。
【符号の説明】
【００２０】
１０…弁機構
２０…ソレノイド機構
１０ａ…吸入口
１０ｂ…吐出口
１０ｃ…ドレン口
１４…ボール弁部材
１１…ベース（ボール弁収容部材）
２３…プランジャ部材
１２…プレート（蓋部材）
２１…ケース（プランジャ収容部材）
２６…コア（封止部材）
【図１】
2005240852.tif 000003
【図２】
2005240852.tif 000004
【図３】
2005240852.tif 000005